(57)【特許請求の範囲】
【請求項１】
表示画面（３０ａ）に対応する表示窓（４９）が形成されたベース体（４４）上に左右方向移動可能に配置された可動体（５３ａ，５３ｂ）と、該可動体（５３ａ，５３ｂ）を、前記表示窓（４９）の前側を覆う閉鎖位置と開放する開放位置との間で開閉駆動する駆動機構（５５ａ，５５ｂ）とを有する可動演出手段（４３）を備え、前記駆動機構（５５ａ，５５ｂ）は、前記可動体（５３ａ，５３ｂ）の上端側又は下端側に設けられた被駆動部（６３）と、この被駆動部（６３）を左右方向に駆動する駆動手段（６４）とを備えた遊技機において、前記可動体（５３ａ，５３ｂ）の上下両端側に対応して夫々左右方向に配置される一対のラック（７１，７２）と、それらラック（７１，７２）に夫々噛合する上下一対のピニオンギア（７３，７４）と、それら一対のピニオンギア（７３，７４）を連動させる回転連動手段（７５）とを備え、前記ラック（７１，７２）を前記表示窓（４９）の上下両側で前記ベース体（４４）側に固定し、前記ピニオンギア（７３，７４）及び前記回転連動手段（７５）を前記可動体（５３ａ，５３ｂ）の左右方向の幅内でその裏側に装着したことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、近年、大型の液晶表示手段を搭載したものが主流となっており、各社とも、その液晶表示手段に表示する演出画像等により他社製品との差別化を図ってきたが、液晶表示手段に表示するバーチャルな演出画像による差別化のみではもはや他社製品との差別化を十分に図ることが難しくなってきている。そこで、画像による演出に機械的な動作を組み合わせてより演出効果を高めようと、例えば液晶表示手段の前側に可動体を設けたものが開発されている（特許文献１参照）。
【０００３】
この特許文献１に記載されたパチンコ機は、液晶表示手段の前側に左右方向移動可能な左右一対の開閉扉（可動体）を設け、それら開閉扉の下端側に左右方向のラックを配置し、そのラックに、モータの駆動軸に固定されたピニオンギアを噛合させており、モータによりピニオンギアを正逆方向に回転させることにより、ラックを介して開閉扉を開閉させるようになっている。
【０００４】
また、特許文献１に記載されたパチンコ機では、モータの駆動力を開閉扉の下端側にのみ伝達していることにより、開閉扉の上端側に動作遅れが生じ、そのままでは開閉扉を全閉状態まで駆動しても上端側に隙間が残ってしまう場合があることから、これを防止すべく、開閉扉が全閉状態又はその近傍にきたときに開閉扉の閉鎖方向後部側を上向きに押し上げる押し上げ突起を下側のレール上に設けている。
【特許文献１】特開２００７−６１４８８号公報
【発明の開示】
【発明が解決しようとする課題】
【０００５】
特許文献１に記載されたパチンコ機では、上述したように、開閉扉の閉鎖方向後部側を押し上げることにより、全閉状態で上端側に残る隙間を防止することが可能であるが、開閉動作中における開閉扉上端側の動作遅れが根本的に解消されるわけではなく、依然として開閉動作の開始時や停止時に開閉扉にがたつきが生じやすく、開閉動作が不安定でスムーズさに欠ける問題があった。
【０００６】
本発明は、このような従来の問題点に鑑み、可動体に対して駆動力を上下アンバランスな状態で伝達しているにもかかわらず、可動体をがたつき無く左右方向にスムーズに駆動することが可能な遊技機を提供することを目的とする。
【課題を解決するための手段】
【０００７】
本発明は、表示画面３０ａに対応する表示窓４９が形成されたベース体４４上に左右方向移動可能に配置された可動体５３ａ，５３ｂと、該可動体５３ａ，５３ｂを、前記表示窓４９の前側を覆う閉鎖位置と開放する開放位置との間で開閉駆動する駆動機構５５ａ，５５ｂとを有する可動演出手段４３を備え、前記駆動機構５５ａ，５５ｂは、前記可動体５３ａ，５３ｂの上端側又は下端側に設けられた被駆動部６３と、この被駆動部６３を左右方向に駆動する駆動手段６４とを備えた遊技機において、前記可動体５３ａ，５３ｂの上下両端側に対応して夫々左右方向に配置される一対のラック７１，７２と、それらラック７１，７２に夫々噛合する上下一対のピニオンギア７３，７４と、それら一対のピニオンギア７３，７４を連動させる回転連動手段７５とを備え、前記ラック７１，７２を前記表示窓４９の上下両側で前記ベース体４４側に固定し、前記ピニオンギア７３，７４及び前記回転連動手段７５を前記可動体５３ａ，５３ｂの左右方向の幅内でその裏側に装着したものである。
【発明の効果】
【０００８】
本発明によれば、可動体５３ａ，５３ｂの上下両端側の左右方向の動作が完全に連動するため、可動体５３ａ，５３ｂに対して駆動力を上下アンバランスな状態で伝達しているにもかかわらず、可動体５３ａ，５３ｂをがたつき無く左右方向にスムーズに駆動することが可能である。
【発明を実施するための最良の形態】
【０００９】
以下、本発明の実施形態を図面に基づいて詳述する。図１〜図７は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１０】
前面板５の前側には発射用の遊技球を貯留する上皿６が、前面板５の下側で前枠３の前側には余剰球等を貯留する下皿７が、夫々配置されている。下皿７の一側、例えば向かって右側には、遊技球を発射する発射手段（図示省略）の発射ハンドル８が、前枠３の前側に突出状に設けられている。
【００１１】
２１は遊技盤で、ガラス扉４の後側に対応するように、前枠３に着脱自在に装着されている。遊技盤２１の前面側には、発射手段から発射された遊技球を案内するガイドレール２２が環状に装着されると共に、そのガイドレール２２の内側の遊技領域２３に、センターケース２４、普通図柄始動手段２５、特別図柄始動手段２６、大入賞手段２７、普通入賞手段２８等の各種遊技部品が配置されている。
【００１２】
センターケース２４は、遊技盤２１上の遊技領域２３の略中央に配置されており、図２〜図５等に示すように、遊技盤２１の前側から着脱自在に装着される前構造体３１と、この前構造体３１に対応して遊技盤２１の裏側に設けられる裏構造体３２とで構成され、裏構造体３２の背面側に液晶表示手段３０が配置されている。
【００１３】
前構造体３１は、裏構造体３２側の液晶表示手段３０に対応する略矩形状の前表示窓３３を備え、この前表示窓３３の上側に入球案内手段３４を、左右に球落下通路３５ａ，３５ｂを、下側に球案内ステージ３６を、夫々備えている。
【００１４】
入球案内手段３４は、遊技領域２３内に打ち込まれた遊技球を入球させて左右の球落下通路３５ａ，３５ｂの何れかに振り分けるもので、例えば斜め上方に向けて開口する入球口３７に入球した遊技球を振り分けステージ３８上で左右方向に転動させ、左右の球落下通路３５ａ，３５ｂの上流側に夫々連通する入口３８ａ，３８ｂの何れかに流入させるようになっている。
【００１５】
球落下通路３５ａ，３５ｂは、入球案内手段３４側の入口３８ａ，３８ｂに流入した遊技球を球案内ステージ３６側に案内するもので、前表示窓３３の左右に上下方向に配置されており、その下端部に、遊技球を球案内ステージ３６側に向けて排出する排出口３９ａ，３９ｂが設けられている。なお、球落下通路３５ａ，３５ｂ内には、例えば前後方向の障害ピン４０が多数配置されており、これら障害ピン４０により遊技球の流下方向を不規則に変化させるようになっている。また、球落下通路３５ａ，３５ｂは、少なくともその前側の壁面が透明に形成されており、内部の遊技球の流下状態が前側から視認可能となっている。
【００１６】
球案内ステージ３６は、球落下通路３５ａ，３５ｂ側から流入してきた遊技球を左右方向に転動させた後に下方の特別図柄始動手段２６側に落下させるもので、上ステージ３６ａと下ステージ３６ｂとが上下に配置されており、球落下通路３５ａ，３５ｂの排出口３９ａ，３９ｂから流入した遊技球を上ステージ３６ａ上で左右方向に転動させた後、球落とし孔４１から下ステージ３６ｂ上に落下させ、この下ステージ３６ｂの左右方向中央又はその両側の何れかから遊技球を前側に落下させるようになっている。
【００１７】
なお、前構造体３１は、その周囲に薄板状の盤面装着部４２を鍔状に備えており、後部側を遊技盤２１の装着孔２１ａに前側から嵌合させ、盤面装着部４２を遊技盤２１の前面側に密着させた状態で、ネジ止め、圧入等により遊技盤２１に対して着脱自在に固定されている。
【００１８】
裏構造体３２は、図３〜図７に示すように、液晶表示手段３０と、この液晶表示手段３０の前側を開閉する可動演出手段４３と、それら液晶表示手段３０、可動演出手段４３等を遊技盤２１の裏側に固定する裏ケース４４とを備えている。
【００１９】
裏ケース４４は、略矩形状の背壁板４５と、この背壁板４５の上下左右の縁部から前向きに突設された周壁板４６ａ〜４６ｄと、それら周壁板４６ａ〜４６ｄの前縁側に装着される前カバー体４７とで略箱形に形成されており、前カバー体４７の前面側を遊技盤２１の背面に沿わせた状態で、例えば周壁板４６ａ〜４６ｄの前縁側に一体に設けられた鍔状の固定部４８を遊技盤２１にねじ止めすることにより遊技盤２１の裏側に着脱自在に固定されている。
【００２０】
裏ケース４４の背壁板４５には、その略中央に、前構造体３１側の前表示窓３３に対応する矩形状の後表示窓４９が形成され、この後表示窓４９に表示画面３０ａを一致させるように液晶表示手段３０が背壁板４５の背面側に着脱自在に装着されている。また、前カバー体４７には、前表示窓３３に対応する矩形状の開口部４７ａが形成されており、この開口部４７ａ内に透明板５０が嵌め込まれている。また、例えば前カバー体４７の背面側には、開口部４７ａの上下両側に、上レール５１及び下レール５２が左右方向に配置されている。
【００２１】
可動演出手段４３は、液晶表示手段３０の表示画面３０ａの前側を両引き戸型の扉により開閉するもので、裏ケース（ベース体の一例）４４内に左右方向移動可能に配置された左右一対の開閉扉（可動体）５３ａ，５３ｂと、これら開閉扉５３ａ，５３ｂを、互いに対向する閉鎖側端縁（閉鎖側端部）５４ａ，５４ｂ同士が略当接して液晶表示手段３０の前側を覆う「閉鎖位置」（図７）と、互いに左右に離間して液晶表示手段３０の前側を開放する「開放位置」（図６）との間で開閉駆動する駆動機構５５ａ，５５ｂと、開閉扉５３ａ，５３ｂが開閉する際の上下両端側の動作を同期させる同期機構５６ａ，５６ｂとを備え、例えば液晶表示手段３０への画像表示態様に応じて所定の動作パターンに従って開閉動作するようになっている。
【００２２】
開閉扉５３ａ，５３ｂは、扉本体５７と、この扉本体５７の下端側に配置された下部縦車輪５８及び下部横車輪５９と、扉本体５７の上端側に配置された上部縦車輪６０及び上部横車輪６１とを備えている。
【００２３】
扉本体５７は、例えば縦長の矩形状で、その高さは後表示窓４９と略同じかそれよりも大きく、横幅は左右の開閉扉５３ａ，５３ｂを合わせて後表示窓４９を略覆うことが可能な寸法に形成されている。
【００２４】
下部縦車輪５８は、扉本体５７を下側から支持して開閉方向に案内するもので、扉本体５７の下縁側に沿って左右方向に複数、例えば二つ配置されており、例えば扉本体５７から前向きに突設された車軸５８ａにより回転自在に支持されて下レール５２の上面側に設けられた案内溝５２ａに沿って左右方向に転動可能となっている。
【００２５】
下部横車輪５９は、扉本体５７の下端側を前側への移動を規制しつつ開閉方向に案内するもので、扉本体５７の下縁側に沿って左右方向に複数、例えば二つ配置されており、例えば扉本体５７の下端側から下向きに突設された車軸５９ａにより回転自在に支持されて下レール５２の背面５２ｂに沿って左右方向に転動可能となっている。
【００２６】
上部縦車輪６０は、扉本体５７の上端側を上側への移動を規制しつつ開閉方向に案内するもので、扉本体５７の上縁側に沿って左右方向に複数、例えば二つ配置されており、例えば扉本体５７の上縁側に設けられたブラケット６２から前向きに突設された車軸６０ａにより回転自在に支持されて上レール５１の下面側に設けられた案内溝５１ａに沿って左右方向に転動可能となっている。
【００２７】
上部横車輪６１は、扉本体５７の上端側を前側への移動を規制しつつ開閉方向に案内するもので、扉本体５７の上縁側に沿って左右方向に複数、例えば二つ配置されており、例えば扉本体５７の上縁側に設けられたブラケット６２から上向きに突設された車軸６１ａにより回転自在に支持されて上レール５１の背面５１ｂに沿って左右方向に転動可能となっている。
【００２８】
なお、ブラケット６２は、扉本体５７の上縁側から上向きに突設された縦板部６２ａと、その縦板部６２ａの上端側から後ろ向きに延設された横板部６２ｂとで断面Ｌ字型に形成されており、上部縦車輪６０は横板部６２ｂ側に、上部横車輪６１は縦板部６２ａ側に夫々設けられている。
【００２９】
駆動機構５５ａ，５５ｂは、開閉扉５３ａ，５３ｂの扉本体５７の上下一端側、例えば下端側に沿って配置された左右方向の被駆動部６３と、この被駆動部６３を左右方向に駆動する駆動手段６４とで構成されている。
【００３０】
被駆動部６３は、扉本体５７の下端側に沿って閉鎖側端縁５４ａ，５４ｂよりも相手側、即ち閉鎖方向前側に突出するように左右方向細長状に配置されており、その長手方向に沿ってラック６５が例えば下向きに設けられている。扉本体５７には、その下縁側から後ろ向きに底板部６６が延設されており、被駆動部６３はこの底板部６６の下面側に設けられている。なお、開閉扉５３ａ，５３ｂの各被駆動部６３，６３は、開閉扉５３ａ，５３ｂの開閉時に互いに干渉しないように、その位置を互いに前後にずらして配置されている。
【００３１】
駆動手段６４は、ラック６５に夫々噛合するピニオンギア６７と、これらピニオンギア６７を回転駆動するモータ６８とで構成されている。モータ６８は、例えば後表示窓４９の下側左右に配置され、駆動軸６８ａが前向きとなるように裏ケース４４の背壁板４５に固定されており、その駆動軸６８ａの先端側にピニオンギア６７が固定されている。
【００３２】
同期機構５６ａ，５６ｂは、例えば開閉扉５３ａ，５３ｂの上下両端側に対応して裏ケース４４側に左右方向に配置される各一対のラック７１，７２と、それら上下のラック７１，７２に夫々噛合する一対のピニオンギア７３，７４と、例えば開閉扉５３ａ，５３ｂ側に設けられ且つ上下のピニオンギア７３，７４を連動させる連結棒（回転連動手段）７５とを備えている。
【００３３】
連結棒７５は、開閉扉５３ａ，５３ｂの裏側に沿って上下方向に配置され、例えば扉本体５７の裏側に突設された上下一対の軸支持部７６により軸廻りに回転可能に支持されており、その上下両端側にピニオンギア７３，７４が夫々固定されている。即ち、上下のピニオンギア７３，７４は、連結棒７５を介してその軸廻りに連動して回転するようになっている。なお、連結棒７５の上下両端側には、ピニオンギア７３，７４と軸支持部７６との間に夫々スペーサ７７が装着されており、ピニオンギア７３，７４を上下方向の所定位置に保持している。
【００３４】
ラック７１，７２は、開閉扉５３ａ，５３ｂが開閉する際のピニオンギア７３，７４の各移動範囲に対応して裏ケース４４側に左右方向に配置されており、それらラック７１，７２に対してピニオンギア７３，７４が前側から噛合している。なお、ラック７１，７２は、例えば裏ケース４４側の背壁板４５の前側に突設された左右方向の突条６９，７０の前面側に設けられている。
【００３５】
以上のようなセンターケース２４では、可動演出手段４３は、通常状態では、開閉扉５３ａ，５３ｂが左右の開放位置で停止して表示画面３０ａの全体が前側から視認可能な状態となっている（図４，図６）。そして、例えば遊技動作中に遊技制御手段（図示省略）から開閉扉５３ａ，５３ｂの閉鎖指令が出力されると、可動演出手段４３を制御する演出制御手段（図示省略）により、各モータ６８に閉鎖方向への駆動指令が送信される。これにより、左側の開閉扉５３ａ側のモータ６８はピニオンギア６７を正面視時計方向に、右側の開閉扉５３ｂ側のモータ６８はピニオンギア６７を正面視反時計方向に、夫々例えば一定速度で回転させるように、予め設定されたステップ数の駆動動作を開始する。
【００３６】
モータ６８の閉鎖方向の駆動動作が開始されると、ピニオンギア６７の回転に伴ってそれらに噛合しているラック６５が移動し、各ラック６５が固定されている開閉扉５３ａ，５３ｂが夫々閉鎖方向に移動を開始する。
【００３７】
そして、開閉扉５３ａ，５３ｂが閉鎖方向に移動すると、それら開閉扉５３ａ，５３ｂの上下両端側に配置されているピニオンギア７３，７４もラック７１，７２上を同方向に移動しつつ夫々回転するが、上下のピニオンギア７３，７４は連結棒７５で連結されているため、それらの回転動作は全く同一となり、よってラック７１，７２に沿った移動動作も全く同一となる。従って、開閉扉５３ａ，５３ｂは駆動手段６４からその下端側にのみ駆動力が伝達されているにも拘わらず、下端側の開閉動作に対して上端側が遅れることがなく、上下に真っ直ぐな状態を保ったままで閉鎖位置まで移動させることができ、また閉鎖位置で停止しても例えば上端側に隙間が残るようなこともない（図５，図７）。
【００３８】
開閉扉５３ａ，５３ｂを閉鎖位置から開放位置まで移動させる場合には、各モータ６８を逆方向に所定ステップ数だけ駆動させればよい。なお、開閉扉５３ａ，５３ｂの上端側が下端側に対して動作遅れが生じないことは開放動作においても全く同様である。
【００３９】
以上説明したように、本実施形態のパチンコ機は、開閉扉５３ａ，５３ｂの上下両端側に対応して夫々左右方向に配置される一対のラック７１，７２と、それらラック７１，７２に夫々噛合する上下一対のピニオンギア７３，７４と、それら一対のピニオンギア７３，７４を連動させる連結棒７５とを備え、ラック７１，７２を裏ケース４４側に固定し、ピニオンギア７３，７４及び連結棒７５を開閉扉５３ａ，５３ｂ側に装着しているため、開閉扉５３ａ，５３ｂの上下両端側の左右方向の動作を完全に連動させることができ、開閉扉５３ａ，５３ｂに対して駆動力を上下アンバランスな状態で伝達しているにもかかわらず、開閉扉５３ａ，５３ｂをがたつき無く左右方向にスムーズに駆動することが可能である。
【００４０】
また、左右一対の開閉扉５３ａ，５３ｂを備え、駆動機構５５ａ，５５ｂは、開閉扉５３ａ，５３ｂを互いに対向する閉鎖側端縁５４ａ，５４ｂ同士が略当接する閉鎖位置と互いに左右に離間する開放位置との間で開閉駆動するように構成されているが、開閉扉５３ａ，５３ｂの上端側の動作が下端側に対して遅れることがないために閉鎖位置で上端側に隙間が残ることがない。
【００４１】
また、ピニオンギア７３，７４はその軸を上下に向けた状態で配置され、開閉扉５３ａ，５３ｂ側に回転自在に支持された上下方向の連結棒７５の両端側にピニオンギア７３，７４を固定しているため、極めて簡単な構造で上下のピニオンギア７３，７４の回転を連動させることができる。
【００４２】
図８及び図９は本発明の第２の実施形態を例示し、上下のピニオンギア７３，７４及び連結棒７５を裏ケース４４側に、ラック７１，７２を開閉扉５３ａ，５３ｂ側に夫々配置した例を示している。
【００４３】
本実施形態では、上下にピニオンギア７３，７４を配した連結棒７５を支持する軸支持部７６を裏ケース４４の背壁板４５の前面側に突設し、それらピニオンギア７３，７４が噛合するラック７１，７２を、開閉扉５３ａ，５３ｂの背面側に後ろ向きに配置している。その他の構成は第１の実施形態と同様である。
【００４４】
このように、上下のピニオンギア７３，７４及び連結棒７５を裏ケース４４側に、ラック７１，７２を開閉扉５３ａ，５３ｂ側に夫々配置しても、第１の実施形態と同様、開閉扉５３ａ，５３ｂに対して駆動力を上下アンバランスな状態で伝達しているにもかかわらず、開閉扉５３ａ，５３ｂをがたつき無く左右方向にスムーズに駆動することが可能である。
【００４５】
図１０及び図１１は本発明の第３の実施形態を例示し、上下のピニオンギア７３，７４をその回転軸７３ａ，７４ａを前後に向けた状態で配置し、それら上下のピニオンギア７３，７４をベルト８１により連動させた例を示している。
【００４６】
本実施形態では、開閉扉５３ａ，５３ｂの上下両端側に夫々左右方向の突条６９，７０が後ろ向きに設けられ、上側の突条６９の下面側にラック７１が、下側の突条７０の上面側にラック７２が夫々設けられており、それらラック７１，７２に上下のピニオンギア７３，７４が夫々噛合している。
【００４７】
なお、上下のピニオンギア７３，７４は、前後方向の回転軸７３ａ，７４ａの前端側に固定されており、それら回転軸７３ａ，７４ａは例えば裏ケース４４の背壁板４５に設けられた軸受７８，７８により回転自在に保持されている。また、回転軸７３ａ，７４ａには、例えばその後端側で且つ背壁板４５の後側にプーリ７９，８０が夫々固定されており、それら上下のプーリ７９，８０にベルト８１が巻き掛けられている。その他の構成は第１，第２の実施形態と同様である。
【００４８】
このように、上下のピニオンギア７３，７４をその回転軸７３ａ，７４ａを前後に向けた状態で配置し、それら上下のピニオンギア７３，７４をベルト８１により連動させても、第１，第２の実施形態と同様、開閉扉５３ａ，５３ｂに対して駆動力を上下アンバランスな状態で伝達しているにもかかわらず、開閉扉５３ａ，５３ｂをがたつき無く左右方向にスムーズに駆動することが可能である。
【００４９】
以上、本発明の各実施形態について詳述したが、本発明はこれら各実施形態に限定されるものではなく、本発明の趣旨を逸脱しない範囲で種々の変更が可能である。例えば、第３の実施形態のように、上下のピニオンギア７３，７４をその回転軸７３ａ，７４ａを前後に向けた状態で配置し、それら上下のピニオンギア７３，７４の回転を連動させる場合についても、ピニオンギア７３，７４及び回転連動手段を開閉扉５３ａ，５３ｂ側に、ラック７１，７２を裏ケース４４等のベース体側に夫々配置してもよい。
【００５０】
また、上下のピニオンギア７３，７４を連動させる回転連動手段は、ピニオンギア７３，７４の回転軸の向きや距離、周囲の状況等に応じて連結棒、ベルト、ギア列等の中から最適なものを選択すればよい。例えば第１，第２の実施形態の回転連動手段としてギア列等を用いてもよいし、第３の実施形態の場合も同様である。
【００５１】
可動体５３ａ，５３ｂは扉状のものに限らず、任意の形状のものを採用可能である。また、可動体５３ａ，５３ｂを左右方向に案内する案内機構や駆動手段６４の構成も任意である。
【００５２】
例えば第１の実施形態の場合、可動体（扉本体）５３ａ，５３ｂを、透明又は半透明の光透過部材と光を透過しない遮蔽部材とで形成し、連結棒７５等を遮蔽部材の後側に配置するように構成してもよい。その場合には、可動体を閉鎖位置に移動させたときに液晶表示手段３０による演出表示を行うことができ、より一層演出効果を高めることができる。
【００５３】
また、実施形態では本発明をパチンコ機に適用した例を示したが、アレンジボール機、スロットマシン等の各種遊技機において同様に実施可能であることは言うまでもない。
【図面の簡単な説明】
【００５４】
【図１】本発明の第１の実施形態を示すパチンコ機の全体正面図である。
【図２】センターケースの正面図で、（ａ）は開閉扉を開いた状態、（ｂ）は開閉扉を閉じた状態である。
【図３】センターケースの側面断面図である。
【図４】開閉扉を開いた状態でのセンターケースの平面断面図である。
【図５】開閉扉を閉じた状態でのセンターケースの平面断面図である。
【図６】開閉扉を開いた状態でのセンターケースの裏構造体の正面図である。
【図７】開閉扉を閉じた状態でのセンターケースの裏構造体の正面図である。
【図８】本発明の第２の実施形態を示すセンターケースの側面断面図である。
【図９】本発明の第２の実施形態を示すセンターケースの平面断面図である。
【図１０】本発明の第３の実施形態を示すセンターケースの側面断面図である。
【図１１】本発明の第３の実施形態を示すセンターケースの平面断面図である。
【符号の説明】
【００５５】
４３  可動演出手段
４４  裏ケース（ベース体）
５３ａ，５３ｂ  開閉扉（可動体）
５４ａ，５４ｂ  閉鎖側端縁（閉鎖側端部）
５５ａ，５５ｂ  駆動機構
６３  被駆動部
６４  駆動手段
７１，７２  ラック
７３，７４  ピニオンギア
７５  連結棒（回転連動手段）
８１  ベルト
【図１】
0004825777.tif 000002
【図２】
0004825777.tif 000003
【図３】
0004825777.tif 000004
【図４】
0004825777.tif 000005
【図５】
0004825777.tif 000006
【図６】
0004825777.tif 000007
【図７】
0004825777.tif 000008
【図８】
0004825777.tif 000009
【図９】
0004825777.tif 000010
【図１０】
0004825777.tif 000011
【図１１】
0004825777.tif 000012